Podtech/llm-jp-corpus-v4-ja_patent huggingface dataset:
【手続補正書】
【提出日】平成20年8月12日(2008.8.12)
【手続補正１】
【補正対象書類名】特許請求の範囲
【補正対象項目名】全文
【補正方法】変更
【補正の内容】
【特許請求の範囲】
【請求項１】
複数のデータ・センタ環境によるユーザ要求を処理する方法であって、
第１のデータ・センタで、ユーザ要求を取得するステップと、
１つまたは複数の分類基準に基づいて、前記ユーザ要求を分類するステップと、
前記分類されたユーザ要求に関連する作業負荷の少なくとも一部分を、処理される少なくとも第２のデータ・センタへとオフロードするステップであって、前記第１のデータ・センタおよび前記第２のデータ・センタの少なくとも一方に関連付けられた１つまたは複数の管理ポリシーに少なくとも基づいているステップと、
前記要求するユーザに対するサービス・レベルの合意に従って、前記ユーザ要求が少なくとも実質的に満たされるように、前記作業負荷を処理するステップと
を含む方法。
【請求項２】
前記オフロードするステップがさらに、前記第１のデータ・センタに関連付けられたアドミッション制御ポリシーに基づいて、前記分類されたユーザ要求に関連する作業負荷の少なくとも一部分を、前記第２のデータ・センタにリダイレクトするステップを含む、請求項１に記載の方法。
【請求項３】
前記オフロードするステップがさらに、前記分類されたユーザ要求に関連する作業負荷の少なくとも一部分が、前記第２のデータ・センタに関連する少なくとも１つの資源に直接、経路指定され得るように、前記第２のデータ・センタに関連する前記少なくとも１つの資源を、前記第１のデータ・センタに関連する資源スケジューラに利用可能にさせるステップを含む、請求項１に記載の方法。
【請求項４】
前記作業負荷の一部分をオフロードすることに対する１つまたは複数の利益に関連する１つまたは複数のメトリック値を、前記第１のデータ・センタで判定するステップをさらに含む、請求項１に記載の方法。
【請求項５】
前記メトリック値を判定するステップがさらに、前記メトリック値を閾値と比較するステップと、前記比較の結果を作業負荷のオフロードを開始するトリガとして使用するステップとを含む、請求項４に記載の方法。
【請求項６】
前記メトリック値を判定するステップがさらに、前記閾値を調整するステップを含む、請求項５に記載の方法。
【請求項７】
１つまたは複数のデータ・センタのいずれが前記作業負荷の少なくとも一部分をオフロードするための可能性のあるデータ・センタであるかを、前記複数のデータ・センタ中から決定するステップをさらに含む、請求項１に記載の方法。
【請求項８】
前記可能性のあるデータ・センタを決定するステップがさらに、優先順位に基づいて可能性のあるデータ・センタを決定するステップを含む、請求項７に記載の方法。
【請求項９】
可能性のあるデータ・センタであると決定された前記データ・センタの少なくとも１つに対して、少なくとも１つの要求照会を送るステップをさらに含む、請求項７に記載の方法。
【請求項１０】
複数のデータ・センタに要求照会をマルチキャストするステップをさらに含む、請求項７に記載の方法。
【請求項１１】
前記可能性のあるデータ・センタの１つを、オフロードするために使用されるデータ・センタとして受け入れるステップをさらに含み、前記第２のデータ・センタが、前記受け入れられたデータ・センタである、請求項１０に記載の方法。
【請求項１２】
事前設定すべき１つまたは複数の資源を選択するステップをさらに含む、請求項１１に記載の方法。
【請求項１３】
前記作業負荷を処理するのに使用される１つまたは複数の選択された資源を事前設定するステップをさらに含む、請求項１２に記載の方法。
【請求項１４】
前記資源を事前設定するステップがさらに、前記第１のデータ・センタおよび前記第２のデータ・センタの少なくとも一方が、前記資源の事前設定ステップの少なくとも一部分を実施するステップを含む、請求項１３に記載の方法。
【請求項１５】
前記オフロードするステップがさらに、前記第２のデータ・センタが、前記作業負荷を処理するために、１つまたは複数の資源を貸し出すことに合意する前に、それ自体の資源の可用性を判定するステップをさらに含む、請求項１に記載の方法。
【請求項１６】
複数のデータ・センタ環境によるユーザ要求を処理するための装置であって、
メモリと、
前記メモリに結合され、第１のデータ・センタに関連付けられた少なくとも１つの処理デバイスであって、
（ｉ）ユーザ要求を取得し、（ｉｉ）１つまたは複数の分類基準に基づいて前記ユーザ要求を分類し、（ｉｉｉ）前記分類されたユーザ要求と関連する作業負荷の少なくとも一部分を、処理される少なくとも第２のデータ・センタへとオフロードさせるように動作可能な処理デバイスとを備え、
前記オフロードするオペレーションが、前記第１のデータ・センタおよび前記第２のデータ・センタの少なくとも一方と関連付けられた１つまたは複数の管理ポリシーに少なくとも基づいており、また前記作業負荷が、前記要求するユーザに対するサービス・レベルの合意に従って、前記ユーザ要求が少なくとも実質的に満たされるように処理される装置。
【請求項１７】
前記オフロードするオペレーションがさらに、前記第１のデータ・センタに関連付けられたアドミッション制御ポリシーに基づいて、前記分類されたユーザ要求に関連する作業負荷の少なくとも一部分を、前記第２のデータ・センタへとリダイレクトするステップを含む、請求項１６に記載の装置。
【請求項１８】
前記オフロードするオペレーションがさらに、前記分類されたユーザ要求に関連する作業負荷の少なくとも一部分が、前記第２のデータ・センタに関連する少なくとも１つの資源に直接、経路指定され得るように、前記第２のデータ・センタに関連する前記少なくとも１つの資源を、前記第１のデータ・センタに関連する資源スケジューラに利用可能にさせるステップを含む、請求項１６に記載の装置。
【請求項１９】
前記少なくとも１つの処理デバイスがさらに、前記作業負荷の一部分をオフロードすることに対する１つまたは複数の利益に関連する１つまたは複数のメトリック値を判定するように動作可能である、請求項１６に記載の装置。
【請求項２０】
前記少なくとも１つの処理デバイスがさらに、１つまたは複数のデータ・センタのいずれが前記作業負荷の少なくとも一部分をオフロードするための可能性のあるデータ・センタであるかを、前記複数のデータ・センタの中から決定するように動作可能である、請求項１６に記載の装置。
【請求項２１】
前記少なくとも１つの処理デバイスがさらに、資源要求閾値を調整可能に設定するように動作可能である、請求項１６に記載の装置。
【手続補正書】
【提出日】平成21年5月27日(2009.5.27)
【手続補正１】
【補正対象書類名】特許請求の範囲
【補正対象項目名】全文
【補正方法】変更
【補正の内容】
【特許請求の範囲】
【請求項１】
【化１】
2008542390.tif 000001
の４−メチル−３−[[４−(３−ピリジニル)−２−ピリミジニル]アミノ]−Ｎ−[５−(４−メチル−１Ｈ−イミダゾル−１−イル)−３−(トリフルオロメチル)フェニル]ベンズアミドまたは薬学的に許容されるその塩、および、式
【化２】
2008542390.tif 000002
のイマチニブ、または薬学的に許容されるその塩を含む、消化器間質腫瘍の処置用組み合わせ剤。
【請求項２】
消化器間質腫瘍の処置用薬剤の製造のための、式
【化３】
2008542390.tif 000003
の４−メチル−３−[ｓ[４−(３−ピリジニル)−２−ピリミジニル]アミノ]−Ｎ−[５−(４−メチル−１Ｈ−イミダゾル−１−イル)−３−(トリフルオロメチル)フェニル]ベンズアミド、または薬学的に許容されるその塩、および、式
【化４】
2008542390.tif 000004
のイマチニブ、または薬学的に許容されるその塩の組み合わせの使用。
【手続補正書】
【提出日】平成21年1月22日(2009.1.22)
【手続補正１】
【補正対象書類名】明細書
【補正対象項目名】０００９
【補正方法】変更
【補正の内容】
【０００９】
苦痛緩和医療の分野はかなり進歩してきたが、苦痛緩和医療はまだ医師にとって大変な課題である。現在、悪液質に大して満足のいく治療は確立されておらず、悪液質の症状を軽減する薬物はますます必要とされている。
この出願の発明に関連する先行技術文献情報としては、以下のものがある（国際出願日以降国際段階で引用された文献及び他国に国内移行した際に引用された文献を含む）。
【特許文献１】米国特許第５，８４９，１９６号明細書
【特許文献２】米国特許第６，３０３，１５３号明細書
【特許文献３】米国特許第６，５２８，０９８号明細書
【特許文献４】米国特許出願第２００４／００３３２４４第号明細書
【特許文献５】米国特許出願第２００７／０１８７３５６第号明細書
【非特許文献１】Ｂｒｕｅｒａ  ｅｔ  ａｌ．，  １９９８，  ＣＭＡＪ  １５８：  １７１７−１７２６
【非特許文献２】Ｉｎｖｉ，  ２００２，  ＣＡ  Ｃａｎｃｅｒ  Ｊ  Ｃｌｉｎ  ５２：  ７２−９１
【非特許文献３】Ｌａｚｚａｒｉｎｏ  ｅｔ  ａｌ．，  ２００１，  Ｃｙｔｏｋｉｎｅ  １４：  ２３４−２３９
【非特許文献４】Ｌａｚｚａｒｉｎｏ  ｅｔ  ａｌ．，  ２０００，  Ｉｍｍｕｎｏｌ  Ｌｅｔｔ  ７４：  １８９−１９５
【非特許文献５】Ｄ’Ｏｌｉｍｐｉｏ  ｅｔ  ａｌ．，  ２００４，  Ａｍ  Ｓｏｃ  Ｃｌｉｎ  Ｏｎｃｏｌｏｇｙ  Ａｎｎ  Ｍｔｇ  Ｐｒｏｃ  ２２（１４Ｓ）：  ８０８７（Ａｂｓｔｒａｃｔ  Ｏｎｌｙ）
【非特許文献６】Ｗａｎｇ，  ２００３，  Ｃｕｒｒ  Ｏｐｉｎ  Ｍｏｌ  Ｔｈｅｒａ  ５（２）：  １８６−１９１
【手続補正書】
【提出日】平成21年5月27日(2009.5.27)
【手続補正１】
【補正対象書類名】特許請求の範囲
【補正対象項目名】全文
【補正方法】変更
【補正の内容】
【特許請求の範囲】
【請求項１】
脂肪の全体的な割合を減少および／または脂肪質量に対する無脂肪質量の割合を増加させることでボディマス分布を変化させる治療用調合物であって、少なくとも１つのヒドロキシル基と、ボディマスの組成を変化させる能力とを有する有効量の１つ以上の化合物、または生理学的に許容可能なそれらの誘導体またはプロドラッグおよび許容可能な担体を含んでいることを特徴とする調合物。
【請求項２】
少なくとも１つのヒドロキシル基と、ボディマス組成を変化させる能力とを有する化合物がフラボノイド、ポリフェノール、ミルク蛋白質、ココア、ココア製品、ココア抽出物、ぶどう抽出物、糖蜜抽出物、高フラボノイド糖およびそれらの混合物でなる群より選ばれることを特徴とする請求項１に記載の調合物。
【請求項３】
ポリフェノールがワイン、ココア、サトウキビ、サトウダイコン、糖蜜、糖蜜抽出物、サトウキビおよびサトウダイコン廃棄物およびそれらの混合物でなる群より選ばれることを特徴とする請求項２に記載の調合物。
【請求項４】
有効量が摂取した全食物の１〜２重量％であることを特徴とする請求項１に記載の調合物。
【請求項５】
ヒトに対する有効量が２〜２０ｇ／日であることを特徴とする請求項１に記載の調合物。
【請求項６】
栄養不良状態のヒトの脂肪質量に対する無脂肪質量の比率の増加が少なくとも１〜２％であることを特徴とする請求項１に記載の調合物。
【請求項７】
治療用調合物が機能性食品ことを特徴とする請求項１に記載の調合物。
【請求項８】
機能性食品がチョコレート製品、糖製品およびそれらの混合物でなる群より選ばれることを特徴とする請求項７に記載の調合物。
【請求項９】
脂肪の全体的な割合を減少および／または脂肪質量に対する無脂肪質量の割合を増加することによるボディマス分布を変化させる医薬の製造における、少なくとも１つのヒドロキシル基とボディマス組成を変化させる能力とを有する有効量の１つ以上の化合物、または生理学的に許容可能なそれらのアナログ、誘導体またはプロドラッグの適当な担体との併用利用。
【請求項１０】
有効量は栄養不良状態のヒトの脂肪質量に対する無脂肪質量の比率を少なくとも１〜２％増加させるのに有効であることを特徴とする請求項１に記載の調合物。
【請求項１１】
脂肪の全体的な割合を減少、および／または脂肪質量に対する無脂肪質量の割合を増加することによりボディマスを変化させるための医薬の製造において、ＡＣＥ阻害活性を有する有効量の１つ以上の化合物、または生理学的に許容可能なそれらのアナログ、誘導体またはプロドラッグの適当な担体との併用利用。
【請求項１２】
有効量の１つ以上のポリフェノールまたは生理学的に許容可能なその誘導体またはプロドラッグおよび共用可能な担体を患者に投与することで脂肪の全体的な割合を減少、および／または脂肪質量に対する無脂肪質量の割合を増加することによりボディマスの分布を変化させるのに使用される治療用調合物。
【請求項１３】
ポリフェノールがココア、サトウキビ、サトウダイコン、サトウキビおよびサトウダイコン廃棄物、糖蜜、ブドウ、ワイン、果実、野菜、ハーブ、スパイス、ビーンズ、豆類、穀物、ナッツ、脂肪種子、植物油、茶、コーヒー、ビール、リンゴ酒、種子、緑茶およびそれらの混合物起源または由来であることを特徴とする請求項１２に記載の調合物。
【請求項１４】
１つ以上のポリフェノールが高い抗酸化剤活性を有することを特徴とする請求項１２に記載の調合物。
【請求項１５】
有効量が全摂取食料の１〜２重量％であることを特徴とする請求項１２に記載の調合物。
【請求項１６】
ヒトに対する有効量が２〜２０ｇ／日であることを特徴とする請求項１２に記載の調合物。
【請求項１７】
全脂肪の割合を減少、および／または脂肪質量に対する無脂肪質量の比率を増加することによるボディマス分布を変化させるための医薬の製造において、有効量の１つ以上のポリフェノールまたは生理学的に許容可能なそのアナログ、誘導体またはプロドラッグの適当な担体との併用利用。
【請求項１８】
有効量の糖蜜またはその抽出物を患者に投与することで全脂肪の割合を減少、および／または脂肪質量に対する無脂肪質量の比率を増加することによりボディマス分布を変化させるのに使用される治療用調合物。
【請求項１９】
糖蜜またはその抽出物が高い抗酸化剤活性を有することを特徴とする請求項１８に記載の調合物。
【請求項２０】
有効量が全食料摂取の１〜２重量％であることを特徴とする請求項１８に記載の調合物。
【請求項２１】
ヒトに対する有効量が２〜２０ｇ／日であることを特徴とする請求項１８に記載の調合物。
【請求項２２】
有効量は栄養失調状態であるヒトの脂肪質量に対する無脂肪質量の比率の増加を少なくとも１〜２％増加させることを特徴とする請求項１８に記載の調合物。
【請求項２３】
全脂肪の割合を減少、および／または脂肪質量に対する無脂肪質量の比率を増加することによりボディマス分布を変化させるための医薬の製造において、有効量の糖蜜またはその抽出物の適当な担体との併用利用。
【手続補正書】
【提出日】平成21年5月29日(2009.5.29)
【手続補正１】
【補正対象書類名】特許請求の範囲
【補正対象項目名】全文
【補正方法】変更
【補正の内容】
【特許請求の範囲】
【請求項１】
式（Ｉ）
【化１】
2008542310.tif 000001
式中、
ｎは１または３であり、
Ｒは、水素またはＣ１〜Ｃ３アルキルであり、そして
ｉ）ｎが１の場合
Ｃ−３とＣ−４との間およびＣ−５とＣ−６との間の結合は単結合であり、Ｃ−４とＣ−５との間の結合と点線とは一緒になって二重結合を表し、または
Ｃ−４とＣ−５との間およびＣ−５とＣ−６との間の結合は単結合であり、Ｃ−３とＣ−４との間の結合と点線とは一緒になって二重結合を表し、
ｉｉ）ｎが３の場合
Ｃ−３とＣ−４との間およびＣ−４とＣ−５との間の結合は単結合であり、Ｃ−５とＣ−６との間の結合と点線とは一緒になって二重結合を表し、または
Ｃ−３とＣ−４との間およびＣ−５とＣ−６間の結合は単結合であり、Ｃ−４とＣ−５との間の結合と点線とは一緒になって二重結合を表し、または
Ｃ−４とＣ−５との間およびＣ−５とＣ−６間の結合は単結合であり、Ｃ−３とＣ−４間の結合と点線とは一緒になって二重結合を表す、
で表されるシクロアルカジエンまたはその混合物を含む炭化水素ガス。
【手続補正書】
【提出日】平成21年5月27日(2009.5.27)
【手続補正１】
【補正対象書類名】特許請求の範囲
【補正対象項目名】全文
【補正方法】変更
【補正の内容】
【特許請求の範囲】
【請求項１】
脂質とスチレン及びマレイン酸の共重合体とを含む組成物であって、前記スチレン及びマレイン酸の共重合体は、交互ではなく、かつ該重合体及び脂質は、巨大分子集合体の形態である、前記組成物。
【請求項２】
脂質とスチレン及びマレイン酸の共重合体とを含む組成物であって、スチレン対マレイン酸単量体単位の比は、1：1よりも大きく、前記重合体及び脂質は、巨大分子集合体の形態である、前記組成物。
【請求項３】
前記スチレン対マレイン酸単量体単位の比が1.2：1よりも大きい、請求項1又は2記載の組成物。
【請求項４】
前記スチレン及びマレイン酸の共重合体が4,500〜12,000の範囲の平均分子量及び約2：1、3：1又は4：1のスチレン対マレイン酸の比を有する、請求項1又は2記載の組成物。
【請求項５】
前記重合体及び脂質巨大分子集合体が5.0〜7.5の間のpHにて水溶液中で安定である、請求項1又は2記載の組成物。
【請求項６】
前記脂質が単一の純粋成分である、請求項1又は2記載の組成物。
【請求項７】
前記脂質が成分の混合物である、請求項1又は2記載の組成物。
【請求項８】
前記脂質が重量において少なくとも50%の単一頭部基型リン脂質を含む脂質混合物である、請求項7記載の組成物。
【請求項９】
前記単一頭部基型がホスファチジルコリンである、請求項8記載の組成物。
【請求項１０】
前記脂質抽出物が、重量において、少なくとも92%のホスファチジルコリン、最大3%のリゾホスファチジルコリン及び最大2 %の油を含み；そのうちのアシル鎖の14〜20%がパルミチル、3〜5%がステアリル、8〜12%がオレイン酸、62〜66%がリノール酸、及び6〜8%がリノレン酸である、請求項7記載の組成物。
【請求項１１】
前記脂質抽出物が、重量において、少なくとも90%の水素付加されたホスファチジルコリン、最大4%の水素付加されたリゾホスファチジルコリン及び最大2%の油及びトリグリセリドを含み；そのうちのアシル鎖の少なくとも80%がステアリルであり、かつ少なくとも10%がパルミチルである、請求項7記載の組成物。
【請求項１２】
前記脂質に対する共重合体の比が重量基準で1：2よりも大きい、請求項1又は2記載の組成物。
【請求項１３】
共界面活性物質を更に含む、請求項1又は2記載の組成物。
【請求項１４】
前記巨大分子集合体が直径100nm未満である、請求項1又は2記載の組成物。
【請求項１５】
凍結乾燥された形態である、請求項1又は2記載の組成物。
【請求項１６】
請求項1又は2記載の組成物を含む水溶液。
【請求項１７】
透明、かつ安定であり、及び5.0〜7.5の間のpHを有する、請求項16記載の水溶液。
【請求項１８】
活性薬剤を更に含む、請求項1又は2記載の組成物を含む製剤。
【請求項１９】
膜ペプチド又はタンパク質を更に含む、請求項1又は2記載の組成物を含む製剤。
【請求項２０】
可溶化剤としての、請求項1又は2記載の組成物の使用。
【請求項２１】
脂質と活性薬剤とスチレン及びマレイン酸の共重合体との巨大分子集合体の形成を含む、水溶液中で貧水溶解度を有する活性薬剤を可溶化する方法であって、スチレン対マレイン酸単量体単位の比が1：1よりも大きい、前記方法。
【請求項２２】
以下の工程を含む、膜タンパク質又はペプチドとの相互作用についての候補薬剤のスクリーニング方法：
（i）膜タンパク質又はペプチドを脂質とスチレン及びマレイン酸の共重合体とを含む組成物に可溶化する工程であって、前記スチレン対マレイン酸単量体単位の比が1：1よりも大きく、前記重合体及び脂質が巨大分子集合体の形態である工程；及び
（ii）候補薬剤を、前記可溶化された膜タンパク質又はペプチドと相互作用するかどうかを決定するために試験する工程。
【手続補正書】
【提出日】平成21年6月1日(2009.6.1)
【手続補正１】
【補正対象書類名】特許請求の範囲
【補正対象項目名】全文
【補正方法】変更
【補正の内容】
【特許請求の範囲】
【請求項１】
生物学的活性分子を放出するためのナノ粒子を含んでなる系であって、
該ナノ粒子が、ａ）少なくとも４０重量％のキトサンまたはその誘導体と、ｂ）６０重量％未満のシクロデキストリンまたはその誘導体が天然シクロデキストリン（アルファ、ベータ、またはガンマ）、ヒドロキシプロピルシクロデキストリン、カルボキシメチルシクロデキストリン、スルホブチルシクロデキストリン、アミノシクロデキストリン、ジメチルシクロデキストリン、リン酸シクロデキストリン、ヒドロキシエチルシクロデキストリン、アセチルシクロデキストリン、エチルシクロデキストリン、トリメチルシクロデキストリン、カルボキシエチルシクロデキストリン、グルコシルシクロデキストリン、６‐Ｏ‐α‐マルトシルシクロデキストリン、ブチルシクロデキストリン、硫酸化シクロデキストリン、Ｎ，Ｎ‐ジエチルアミノエチルシクロデキストリン、tert‐ブチルシリルシクロデキストリン、シリル〔（６‐Ｏ‐tert‐ブチルジメチル）‐２，３‐ジ‐Ｏ‐アセチル〕シクロデキストリン、サクシニル‐（２‐ヒドロキシプロピル）シクロデキストリン、サクシニルシクロデキストリン、およびスルホプロピルシクロデキストリンから選択されるものであり、かつ両成分ａ）およびｂ）がそれらの間において共有結合せずに混合されていることを特徴とする、系。
【請求項２】
前記ナノ粒子が、キトサンをナノメートル構造の形態にイオン性架橋しうるアニオン塩を更に含んでなる、請求項１に記載の系。
【請求項３】
前記キトサンまたはその誘導体の割合が少なくとも４０％〜９５．５重量％である、請求項１または２に記載の系。
【請求項４】
シクロデキストリンまたはその誘導体の割合が０．５％〜６０重量％未満である、請求項１〜３のいずれか一項に記載の系。
【請求項５】
前記キトサンの重合度、即ちキトサンまたはその誘導体を形成するモノマー単位の数が５〜５０００、好ましくは３０〜６００である、請求項１〜４のいずれか一項に記載の系。
【請求項６】
前記キトサンまたはその誘導体が１〜２０００ｋＤａ、好ましくは５〜５００ｋＤａ、更に好ましくは５〜２００ｋＤａの分子量を有する、請求項１〜５のいずれか一項に記載の系。
【請求項７】
前記キトサンまたはその誘導体が３０％〜９５％、好ましくは５０％〜９５％の脱アセチル化度を有する、請求項１〜６のいずれか一項に記載の系。
【請求項８】
前記シクロデキストリンが、ヒドロキシプロピル‐α‐シクロデキストリン、ヒドロキシプロピル‐β‐シクロデキストリン、スルホブチルエチル‐β‐シクロデキストリン、またはそれらの混合物である、請求項１〜７のいずれか一項に記載の系。
【請求項９】
前記シクロデキストリンが４．２〜７の平均置換度を示す、請求項１〜８のいずれか一項に記載の系。
【請求項１０】
低分子量薬物、多糖、タンパク質、ペプチド、脂質、オリゴヌクレオチド、核酸、およびそれらの組合せにより形成される群から選択される生物学的に活性な分子を更に含んでなる、請求項１〜９のいずれか一項に記載の系。
【請求項１１】
前記架橋剤がポリリン酸塩、好ましくはトリポリリン酸ナトリウムである、請求項２に記載の系。
【請求項１２】
請求項１〜１１のいずれか一項に記載の系と、病気を予防、軽減、または治癒しうる生物学的に活性な分子とを含んでなる、医薬組成物。
【請求項１３】
前記生物学的に活性な分子が、トリクロサン、フロセミド、インスリン、ヘパリン、または核酸から構成される分子である、請求項１２に記載の組成物。
【請求項１４】
請求項１〜９および１１のいずれか一項に記載の系と、化粧上活性な分子とを含んでなる、化粧用組成物。
【請求項１５】
前記化粧上活性な分子が、抗にきび剤、抗真菌剤、酸化防止剤、脱臭剤、制汗剤、フケ防止剤、スキンホワイトナー、日焼けローション、ＵＶ光吸収剤、酵素、および化粧用殺菌剤から選択される、請求項１４に記載の化粧用組成物。
【請求項１６】
請求項１〜１１のいずれか一項に記載の生物学的に活性な分子の放出用の系と、抗原とを含んでなる、ワクチン。
【請求項１７】
前記抗原が、タンパク質、多糖、およびＤＮＡ分子から選択される、請求項１６に記載のワクチン。
【請求項１８】
ａ）キトサンまたはその誘導体の、水性媒体または水と極性溶媒との混合物中溶液の調製、
ｂ）シクロデキストリンまたはその誘導体の、水性媒体または水と極性溶媒との混合物中溶液、場合により架橋剤を含む溶液の調製、および
ｃ）キトサン‐シクロデキストリンのナノ粒子が自発的に得られる、工程ａ）およびｂ）の溶液の攪拌による混合
または、場合により：
ａ）キトサンまたはその誘導体およびシクロデキストリンまたはその誘導体の、水性媒体または水と極性溶媒との混合物中溶液の調製、
ｂ）架橋剤の、水性媒体または水と極性溶媒との混合物中溶液の調製、
ｃ）キトサン‐シクロデキストリンのナノ粒子が自発的に得られる、工程ａ）およびｂ）の溶液の攪拌による混合
を含んでなる、請求項１〜１１のいずれか一項に記載の生物学的に活性な分子の制御的放出用に設計された系を得るための方法。
【請求項１９】
前記生物学的に活性な分子が、予め工程ａ）もしくはｂ）において、またはａ）もしくはｂ）へ加えられる他の水または有機相において溶解される、請求項１８に記載の方法。
【請求項２０】
遺伝子治療薬の製造における、請求項１〜１１のいずれか一項に記載の系の使用。
【手続補正書】
【提出日】平成21年4月27日(2009.4.27)
【手続補正１】
【補正対象書類名】特許請求の範囲
【補正対象項目名】全文
【補正方法】変更
【補正の内容】
【特許請求の範囲】
【請求項１】
癌を発症するリスクファクターを有していない個体に比べ、より高い同様なリスクファクターを有する被験体において、癌を発症するリスクを減少させるための組成物であって、該組成物は、治療的有効量のプロスタサイクリンアナログを含み、該被験体において該癌を発症するリスクを、該同様なリスクファクターを有するコントロール群に比べ、少なくとも１０％減少させるように投与されることを特徴とする、組成物。
【請求項２】
請求項１に記載の組成物であって、前記癌が肺癌、肝臓癌、脳の癌、膵臓癌、腎臓癌、前立腺癌、乳癌、結腸癌および頭頚部の癌からなる群から選択される、組成物。
【請求項３】
請求項２に記載の組成物であって、前記より高い癌を発症するリスクファクターが、少なくとも５年間の、１日あたり平均少なくとも１パックのタバコへの曝露である、組成物。
【請求項４】
請求項１に記載の組成物であって、前記プロスタサイクリンアナログが、Ｉｌｏｐｒｏｓｔ、Ｂｅｒａｐｒｏｓｔ、トレプロステニルおよびそれらの組み合わせからなる群から選択される、組成物。
【請求項５】
請求項１に記載の組成物であって、被験体において、前記癌を発症するリスクが、前記コントロール群に比べ少なくとも２０％減少される、組成物。
【請求項６】
癌を発症するリスクファクターを有していない個体に比べ、より高い同様なリスクファクターを有する被験体において、癌を予防するための組成物であって、該組成物は、治療的有効量のプロスタサイクリンアナログを含み、該被験体において癌の発生率を、該同様なリスクファクター有するコントロール群に比べ少なくとも１０％減少させるように投与されることを特徴とし、ここで該癌が肺癌、肝臓癌、脳の癌、膵臓癌、腎臓癌、前立腺癌、乳癌、結腸癌および頭頚部の癌からなる群から選択される、組成物。
【請求項７】
請求項６に記載の組成物であって、前記より高い癌を発症するリスクファクターが、少なくとも５年間、１日あたり平均少なくとも１パックのタバコへの曝露である、組成物。
【請求項８】
請求項６に記載の組成物であって、前記プロスタサイクリンアナログが、Ｉｌｏｐｒｏｓｔ、Ｂｅｒａｐｒｏｓｔ、トレプロステニルおよびそれらの組み合わせからなる群から選択される、組成物。
【請求項９】
請求項６に記載の組成物であって、前記被験体において、前記癌を発症するリスクが、前記コントロール群に比べ少なくとも２０％減少される、組成物。
【請求項１０】
前悪性形成異常を発症するリスクファクターを有していない個体に比べ、より高い同様なリスクファクターを有する被験体において、前悪性形成異常を発症するリスクを減少させるための組成物であって、該組成物は、治療的有効量のプロスタサイクリンアナログを含み、該被験体において該前悪性形成異常の進行のリスクを、該同様なリスクファクター有するコントロール群に比べ少なくとも１０％減少させるように投与されることを特徴とする、組成物。
【請求項１１】
請求項１０に記載の組成物であって、前記プロスタサイクリンアナログが、Ｉｌｏｐｒｏｓｔ、Ｂｅｒａｐｒｏｓｔ、トレプロステニルおよびそれらの組み合わせからなる群から選択される、組成物。
【請求項１２】
請求項１０に記載の組成物であって、前記被験体における前悪性形成異常の前記進行が、前記コントロール群に比べ少なくとも２０％減少される、組成物。
【手続補正書】
【提出日】平成21年6月5日(2009.6.5)
【手続補正１】
【補正対象書類名】特許請求の範囲
【補正対象項目名】全文
【補正方法】変更
【補正の内容】
【特許請求の範囲】
【請求項１】
オピオイド誘導性の副作用のない被験体において、細胞バリア機能障害によって特徴づけられた障害を予防または治療するための医薬組成物であって、
効果的な量のμ-オピオイド受容体アンタゴニストを含む、医薬組成物。
【手続補正書】
【提出日】平成21年5月22日(2009.5.22)
【手続補正１】
【補正対象書類名】特許請求の範囲
【補正対象項目名】全文
【補正方法】変更
【補正の内容】
【特許請求の範囲】
【請求項１】
（Ｒ）−Ｎ−メチルナルトレキソンの塩の立体選択的合成方法であって；
（ａ）下式
【化１】
2008542287.tif 000001
式中、Ｒは、イソブチリル、２−メチルブチリル、ｔｅｒｔブチルカルボニルから選択されるヒドロキシル保護基であるか、または、Ｒは、これが結合している酸素原子と一緒になって、シリルエーテル、２−テトラヒドロピラニルエーテル、または炭酸アルキルである
で表される化合物をメチル化剤でメチル化して下式：
【化２】
2008542287.tif 000002
式中、Ｒは、イソブチリル、２−メチルブチリル、ｔｅｒｔブチルカルボニルから選択されるヒドロキシル保護基であるか、または、Ｒは、これが結合している酸素原子と一緒になって、シリルエーテル、２−テトラヒドロピラニルエーテル、または炭酸アルキルであり、
Ｘ−は対イオンである
で表される、窒素についてＲ立体配置である化合物を生じること、および
（ｂ）（Ｒ）−Ｎ−メチルナルトレキソンの塩を生じるための、ヒドロキシル保護基の除去、
を含む前記方法。
【請求項２】
メチル化剤が、求核攻撃を受けやすいメチル基、および脱離基を含む、請求項１に記載の方法。
【請求項３】
メチル化剤が、ハロゲン化メチル、硫酸ジメチル、硝酸メチルおよびスルホン酸メチルからなる群から選択される、請求項２に記載の方法。
【請求項４】
下式：
【化３】
2008542287.tif 000003
式中、Ｒは、イソブチリル、２−メチルブチリル、ｔｅｒｔブチルカルボニルから選択されるヒドロキシル保護基であるか、または、Ｒは、これが結合している酸素原子と一緒になって、シリルエーテル、２−テトラヒドロピラニルエーテル、または炭酸アルキルであり、
Ｘ−は対イオンである
で表される、窒素についてＲ立体配置である化合物の立体選択的合成方法であって、
下式
【化４】
2008542287.tif 000004
式中、Ｒは、イソブチリル、２−メチルブチリル、ｔｅｒｔブチルカルボニルから選択されるヒドロキシル保護基であるか、または、Ｒは、これが結合している酸素原子と一緒になって、シリルエーテル、２−テトラヒドロピラニルエーテル、または炭酸アルキルである
で表される化合物をメチル化することを含む、前記方法。
【請求項５】
Ｘ−対イオンがアニオンである、請求項１または４に記載の方法。
【請求項６】
アニオンが、ハロゲン化合物、硫酸、リン酸、硝酸または有機アニオン荷電種である、請求項５に記載の方法。
【請求項７】
アニオンが、ハロゲン化合物である、請求項６に記載の方法。
【請求項８】
ハロゲン化合物が、臭化物、ヨウ化物または塩化物である、請求項７に記載の方法。
【請求項９】
有機アニオン荷電種がスルホン酸またはカルボン酸である、請求項６に記載の方法。
【請求項１０】
スルホン酸が、メシレート、ベシレート、トシレートまたはトリフレートである、請求項９に記載の方法。
【請求項１１】
カルボン酸が、ギ酸、酢酸、クエン酸またはフマル酸である、請求項９に記載の方法。
【請求項１２】
Ｘ−対イオンを異なる対イオンで交換することを更に含む、請求項１または４に記載の方法。
【請求項１３】
ハロゲン化合物がヨウ化物であり、
（Ｒ）−Ｎ−メチルナルトレキソンヨウ化物塩をアニオン交換樹脂カラム（臭化物型）に通し、（Ｒ）−Ｎ−メチルナルトレキソン臭化物塩を生じる工程をさらに含む、請求項１２に記載の方法。
【請求項１４】
下式：
【化５】
2008542287.tif 000005
で表される化合物をメチル化して（Ｒ）−Ｎ−メチルナルトレキソンヨウ化物塩を生じ、
該（Ｒ）−Ｎ−メチルナルトレキソンヨウ化物塩を臭化水素酸で処理して（Ｒ）−Ｎ−メチルナルトレキソン臭化物／ヨウ化物塩を生じ、および
該（Ｒ）−Ｎ−メチルナルトレキソン臭化物／ヨウ化物塩をアニオン交換（臭化物型）に通して（Ｒ）−Ｎ−メチルナルトレキソン臭化物塩を生じる、請求項１に記載の方法。
【請求項１５】
ａ）クロマトグラフィー、
ｂ）逆相クロマトグラフィー、
ｃ）順相クロマトグラフィー
ｄ）再結晶、または
ｅ）これらの組合せ
の１または２以上の工程による（Ｒ）−Ｎ−メチルナルトレキソンの塩の精製を更に含む、請求項１、１３または１４に記載の方法。
【請求項１６】
ａ）クロマトグラフィー、
ｂ）逆相クロマトグラフィー、
ｃ）順相クロマトグラフィー
ｄ）再結晶、または
ｅ）これらの組合せ
の１または２以上の工程による下式：
【化６】
2008542287.tif 000006
で表される化合物の精製を更に含む、請求項１、１３または１４に記載の方法。
【請求項１７】
精製がＣ１８カラムを用いた逆相クロマトグラフィーによるものである、請求項１５に記載の方法。
【請求項１８】
精製が、アルミナまたはシリカゲルを用いた順相クロマトグラフィーによるものである、請求項１５に記載の方法。
【請求項１９】
精製が、メタノールを用いた再結晶によるものである、請求項１５に記載の方法。
【請求項２０】
精製後の（Ｒ）−Ｎ−メチルナルトレキソンの塩が９８％より高い純度を有する、請求項１５に記載の方法。
【手続補正書】
【提出日】平成21年3月10日(2009.3.10)
【手続補正１】
【補正対象書類名】特許請求の範囲
【補正対象項目名】全文
【補正方法】変更
【補正の内容】
【特許請求の範囲】
【請求項１】
遊離β−アラニンと薬学的に許容される担体とを含む医薬組成物であって、該組成物はβ−アラニンの徐放用に製剤化されている、上記医薬組成物。
【請求項２】
前記組成物は、約0.1ｇ〜約10.0ｇの遊離β−アラニンを単回用量で送達するように製剤化されている、請求項１に記載の医薬組成物。
【請求項３】
前記組成物は、単回用量に、約1.0ｇ〜約10.0ｇの遊離β−アラニンを含む、請求項１に記載の医薬組成物。
【請求項４】
前記組成物は、単回用量に、約2.0ｇ〜約8.0ｇの遊離β−アラニンを含む、請求項１に記載の医薬組成物。
【請求項５】
前記組成物は、単回用量に、約3.0ｇ〜約7.0ｇの遊離β−アラニンを含む、請求項１に記載の医薬組成物。
【請求項６】
前記組成物は、単回用量に、約4.0ｇ〜約6.0ｇの遊離β−アラニンを含む、請求項１に記載の医薬組成物。
【請求項７】
前記担体は、藻類多糖、キトサン、ペクチン、グルコマンナン、グアーガム、キサンタンガム、アラビアガム、カラヤガム、ローカストビーンガム、ケラチン、ラミナラン、カラジーナン、セルロース、セルロースエーテル誘導体；メチルセルロース、ヒドロキシプロピルメチルセルロース、ヒドロキシプロピルセルロース、ヒドロキシエチルセルロース、カルボキシメチルセルロースナトリウム、カルボキシメチルセルロースなどの改変セルロース物質、カルボキシポリメチレン、アクリル樹脂ポリマー、ポリアクリル酸及びその同属化合物、ポリエチレングリコール、ポリエチレンオキシド、ポリヒドロキシアルキルメタクリレート、ポリビニルピロリジン、ポリアクリルアミド、寒天、ゼイン、ステアリン酸、高融点油、蝋、ゼラチン、又はそれらの組合せを含む徐放剤である、請求項１に記載の医薬組成物。
【請求項８】
前記組成物は経口投与用に製剤化されている、請求項１に記載の医薬組成物。
【請求項９】
前記製剤は固体剤形である、請求項８に記載の医薬組成物。
【請求項１０】
前記固体剤形は、錠剤、丸剤、カプセル剤、又はトローチ剤である、請求項９に記載の医薬組成物。
【請求項１１】
前記製剤は液体又は半液体形態である、請求項８に記載の医薬組成物。
【請求項１２】
前記組成物は局所投与用に製剤化されている、請求項１に記載の医薬組成物。
【請求項１３】
前記製剤はローション、ヒドロゲル、又は皮膚パッチである、請求項12に記載の医薬組成物。
【請求項１４】
遊離β−アラニンを含む食用サプリメントであって、β−アラニンの徐放用に製剤化されている、上記食用サプリメント。
【請求項１５】
単回供給分に約0.1ｇ〜約10.0ｇの遊離β−アラニンを含む、請求項14に記載の食用サプリメント。
【請求項１６】
単回供給分に約1.0ｇ〜約10.0ｇの遊離β−アラニンを含む、請求項14に記載の食用サプリメント。
【請求項１７】
単回供給分に約2.0ｇ〜約8.0ｇの遊離β−アラニンを含む、請求項14に記載の食用サプリメント。
【請求項１８】
単回供給分に約3.0ｇ〜約7.0ｇの遊離β−アラニンを含む、請求項14に記載の食用サプリメント。
【請求項１９】
単回供給分に約4.0ｇ〜約6.0ｇの遊離β−アラニンを含む、請求項14に記載の食用サプリメント。
【請求項２０】
食品である請求項14に記載の食用サプリメント。
【請求項２１】
前記食品は、ガラクトース、遊離β−アラニン、糖類、繊維を含む高エネルギー多種糖食用バーであり、ここで、遊離β−アラニンは、β−アラニンの徐放用に製剤化された乾燥不透水性シェルに封入された顆粒又は粉末からなる、請求項20に記載の食用サプリメント。
【請求項２２】
ビタミン、脂質、炭水化物、アミノ酸、微量元素、着色剤、香味剤、人工甘味剤、天然の健康改善物質、酸化防止剤、安定化剤、防腐剤及び緩衝剤からなる群より選択される１種以上の追加の成分をさらに含む、請求項14に記載の食用サプリメント。
【請求項２３】
前記天然の健康改善物質は、Pau D' Arco茶、高麗ニンジン、スマ茶、イチョウ、ミツバチ花粉およびミルラから選択される、請求項22に記載の食用サプリメント。
【請求項２４】
前記遊離β−アラニンは、食品の他の成分から独立した層内に含まれる、請求項14に記載の食用サプリメント。
【請求項２５】
前記食品は、β−アラニンの徐放用に製剤化された食用支持マトリックスに懸濁させた遊離β−アラニンを含む、請求項20に記載の食用サプリメント。
【請求項２６】
ビタミン、脂質、炭水化物、アミノ酸、微量元素、着色剤、香味剤、人工甘味剤、天然の健康改善物質、酸化防止剤、安定化剤、防腐剤及び緩衝剤からなる群より選択される１種以上の追加の成分をさらに含む、請求項25に記載の食用サプリメント。
【請求項２７】
前記天然の健康改善物質は、Pau D' Arco茶、高麗ニンジン、スマ茶、イチョウ、ミツバチ花粉およびミルラから選択される、請求項26に記載の食用サプリメント。
【請求項２８】
前記食用支持マトリックスが、ハチミツ、シロップ、廃糖蜜、糖蜜、及び濃縮アロエベラゲルからなる群より選択される成分を含む、請求項26に記載の食用サプリメント。
【請求項２９】
組織の無酸素運動能を増加するための徐放性組成物の製剤化のための遊離β−アラニンの使用であって、該組成物が、組織におけるβ−アラニルヒスチジンペプチドの合成を増加するのに有効な量で遊離β−アラニンを含む、上記使用。
【請求項３０】
激しい運動中に発生する代謝性アシドーシスを軽減するための徐放性組成物の製剤化のための遊離β−アラニンの使用であって、該組成物が、筋肉におけるβ−アラニルヒスチジンジペプチドの合成を増加するのに有効な量で遊離β−アラニンを含む、上記使用。
【手続補正書】
【提出日】平成21年5月22日(2009.5.22)
【手続補正１】
【補正対象書類名】特許請求の範囲
【補正対象項目名】全文
【補正方法】変更
【補正の内容】
【特許請求の範囲】
【請求項１】
式Ｉ：
【化１】
2008542286.tif 000001
式中、Ｘ−は対イオンである、
で表される、少なくとも７５％の純度を有する、窒素についてＳ立体配置の単離された化合物。
【請求項２】
少なくとも９０％の純度を有する、請求項１に記載の単離された化合物。
【請求項３】
少なくとも９５％の純度を有する、請求項１に記載の単離された化合物。
【請求項４】
対イオンが：
ａ）ハライド、
ｂ）硫酸、
ｃ）リン酸、
ｄ）硝酸、または
ｅ）アニオン性に荷電した有機種
である、請求項１に記載の単離された化合物。
【請求項５】
対イオンがハライドである、請求項１に記載の単離された化合物。
【請求項６】
結晶形態である、請求項１、２、３、４または５に記載の単離された化合物。
【請求項７】
ＭＮＴＸを含む組成物であって、組成物中に存在するＭＮＴＸが７５％より多く窒素についてＳ立体配置である、前記組成物。
【請求項８】
組成物中に存在するＭＮＴＸが９０％より多く窒素についてＳ立体配置である、請求項７に記載の組成物。
【請求項９】
組成物中に存在するＭＮＴＸが９５％より多く窒素についてＳ立体配置である、請求項７に記載の組成物。
【請求項１０】
ＭＮＴＸが：
ａ）ハライド、
ｂ）硫酸、
ｃ）リン酸、
ｄ）硝酸、または
ｅ）アニオン性に荷電した有機種
である対イオンを有する、請求項７に記載の組成物。
【請求項１１】
対イオンがハライドである、請求項１０に記載の組成物。
【請求項１２】
請求項７、８、９、１０または１１に記載の組成物の有効量および薬学的に受容可能なキャリアを含む、医薬製剤。
【請求項１３】
製剤が、
ａ）腸溶性コーティングされている、
ｂ）徐放性処方物である、
ｃ）持効性処方物である、
ｄ）局所用処方物である、
ｅ）凍結乾燥されている、または
ｆ）坐剤である、
請求項１２に記載の製剤。
【請求項１４】
製剤が、
ａ）溶液である、または
ｂ）固体である、
請求項１２に記載の製剤。
【請求項１５】
Ｓ−ＭＮＴＸの塩を合成するための方法であって：
第一の溶媒中でヨードメチルシクロプロパンをオキシモルホンと組み合わせてＳ−ＭＮＴＸのヨード塩を生成することを含む、前記方法。
【請求項１６】
ヨウ化塩Ｓ−ＭＮＴＸを第一の溶媒から第二の溶媒へ移すこと；および
ヨウ化物をヨウ化物以外の対イオンと交換すること
をさらに含む、請求項１５に記載の方法。
【請求項１７】
Ｓ−ＭＮＴＸのヨウ化塩を第二の溶媒へ移すこと；および
ヨウ化物を臭化物と交換してＳ−ＭＮＴＸの臭化塩を生成すること
をさらに含む、請求項１５に記載の方法。
【請求項１８】
第一の溶媒がＮ−メチルピロリドンであり、第二の溶媒がイソプロピルアセテートまたはジオキサンである、請求項１７に記載の方法。
【請求項１９】
ａ）クロマトグラフィーもしくは多重クロマトグラフィー、
ｂ）再結晶もしくは多重再結晶、または
ｃ）ａ）とｂ）の組合せ
によってＳ−ＭＮＴＸの塩を精製することをさらに含む、請求項１５、１６、１７または１８に記載の方法。
【請求項２０】
Ｓ−ＭＮＴＸを含む組成物を含むパッケージであって、該組成物がＨＰＬＣによって検出可能なＲ−ＭＮＴＸを含まず、該パッケージ上のまたは該パッケージ内に含まれる証印が、該組成物が検出可能なＲ−ＭＮＴＸを含まないことを示す、パッケージ。
【手続補正書】
【提出日】平成21年5月25日(2009.5.25)
【手続補正１】
【補正対象書類名】特許請求の範囲
【補正対象項目名】全文
【補正方法】変更
【補正の内容】
【特許請求の範囲】
【請求項１】
癌細胞の成長および発達を調節する方法であって、該方法が、
癌細胞成長を有する対象を選択し；
該対象に有効量のザクロ抽出物を含む組成物を投与する工程を含み、該ザクロ抽出物が、
ザクロ固形物を提供し；
水溶液中で前記ザクロ固形物を含む混合物を作成し；
約60°F（15.56℃）から210°F（98.89℃）の温度に前記混合物を加熱し；
前記混合物から残存する不溶性の固形物を除去して植生化学物質を含有する結果抽出物を提供する、
各工程を含む方法により産生されることを特徴とする方法。
【請求項２】
前記ザクロ固形物が、ザクロ果実の果皮、内膜および種子からなる群より選択されることを特徴とする請求項１記載の方法。
【請求項３】
前記ザクロ固形物が、前記ザクロ果実全体の種衣からの液体の抽出後の残存するザクロ果実を含むことを特徴とする請求項１記載の方法。
【請求項４】
癌細胞の成長および発達を調節する方法であって、該方法が、
癌細胞成長を有する対象を選択し；
該対象に有効量のザクロ抽出物を含む組成物を投与する工程を含み、該ザクロ抽出物が、
１つ以上のザクロ固形物を提供し；
水溶液中で前記１つ以上のザクロ固形物を含む混合物を作成し；
前記１つ以上のザクロ固形物が少なくとも部分的に分解するのに十分な量で前記混合物に酵素を加え；
前記ザクロ固形物の酵素触媒反応を可能にする温度に前記混合物を加熱し；
前記ザクロ固形物を少なくとも部分的に分解するのに十分な温度および時間に前記混合物を維持し；
前記混合物から残存する不溶性固形物質を除去する、
各工程を含む方法により産生され、残存する抽出物がポリフェノールを含むことを特徴とする方法。
【請求項５】
前記ザクロ固形物が、ザクロ果実の果皮、内膜および種子からなる群より選択されることを特徴とする請求項４記載の方法。
【請求項６】
前記ザクロ固形物が、前記ザクロ果実全体の種衣からの液体の抽出後の残存するザクロ果実を含むことを特徴とする請求項４記載の方法。
【手続補正書】
【提出日】平成21年4月7日(2009.4.7)
【手続補正１】
【補正対象書類名】特許請求の範囲
【補正対象項目名】全文
【補正方法】変更
【補正の内容】
【特許請求の範囲】
【請求項１】
式Ｉ
【化１】
2008542275.tif 000001
［ここで、
Ｒ1およびＲ2は、互いに独立に、−ＯＨ、または−ＯＲであり；
Ｒは、Ｃ1〜Ｃ6アルキル、アシル、またはグリコシルであり；
Ｒ3は、互いに独立に、Ｃ1〜Ｃ6アルキル、Ｃ2〜Ｃ10アルケニル、カルボキシ、アルキルカルボニル、ハロゲン、ニトロ、またはシアノであり；
ｍは、０〜５であり；
ｎは、０〜５であり；かつ
ｐは、０〜５であり；
ただし、ｍ＝３の場合には、Ｒ1は同時に、２’−位のヒドロキシ、ならびに４’−および６’−位のアルコキシではない。］
の化合物の使用であって、
前記化合物は、単一立体異性体、立体異性体の混合物、およびその医薬上許容される塩を含み、
単純ヘルペスによって引き起こされるウイルス病変の治療のための医薬、または単純ヘルペスウイルスに侵された患者におけるウイルス感染に関連した症状の治療のための医薬を製造するための、使用。
【請求項２】
式Ｉ
【化２】
2008542275.tif 000002
［ここで、
Ｒ1およびＲ2は、互いに独立に、−ＯＨ、または−ＯＲであり；
Ｒは、Ｃ1〜Ｃ6アルキル、アシル、またはグリコシルであり；
Ｒ3は、互いに独立に、Ｃ1〜Ｃ6アルキル、Ｃ2〜Ｃ10アルケニル、カルボキシ、アルキルカルボニル、ハロゲン、ニトロ、またはシアノであり；
ｍは、０〜５であり；
ｎは、０〜５であり；かつ
ｐは、０〜５であり；
ただし、ｍ＝３の場合には、Ｒ1は同時に、２’−位のヒドロキシ、ならびに４’−および６’−位のアルコキシではない。］
の化合物であって、
前記化合物は、単一立体異性体、立体異性体の混合物、およびその医薬上許容される塩を含み、
単純ヘルペスによって引き起こされるウイルス病変の治療のための、または単純ヘルペスウイルスに侵された患者におけるウイルス感染に関連した症状の治療のための、化合物。
【請求項３】
請求項２に記載の化合物を含む、組成物。
【請求項４】
式ＩＡ
【化３】
2008542275.tif 000003
［ここで、
Ｒ4は、水素、または−ＯＲ’であり；かつ
Ｒ’は、水素、またはＣ1〜Ｃ6アルキルである。］
の化合物の使用であって、
前記化合物は、単一立体異性体、立体異性体の混合物、およびその医薬上許容される塩を含み、
ウイルス病変の治療のための医薬、前記ウイルスに侵された患者におけるウイルス感染に関連した症状の治療のための医薬、または単純ヘルペスウイルスがもたらすウイルス成長および複製を制御するための医薬を製造するための、使用。
【請求項５】
式ＩＡ
【化４】
2008542275.tif 000004
［ここで、
Ｒ4は、水素、または−ＯＲ’であり；かつ
Ｒ’は、水素、またはＣ1〜Ｃ6アルキルである。］
の化合物であって、
前記化合物は、単一立体異性体、立体異性体の混合物、およびその医薬上許容される塩を含み、
ウイルス病変の治療のための、前記ウイルスに侵された患者におけるウイルス感染に関連した症状の治療のための、または単純ヘルペスウイルスがもたらすウイルス成長および複製を制御するための、化合物。
【請求項６】
請求項５に記載の化合物を含む、組成物。
【請求項７】
請求項１又は４に記載の使用であって、
前記ウイルス病変は、口辺ヘルペスである、使用。
【請求項８】
請求項２又は５に記載の化合物であって、
前記ウイルス病変は、口辺ヘルペスである、化合物。
【請求項９】
請求項３又は６に記載の組成物あって、
局所的に投与される、組成物。
【請求項１０】
請求項３又は６に記載の組成物であって、
前記病変に局所的に投与される、組成物。
【請求項１１】
請求項３又は６に記載の組成物であって、
経口投与される、組成物。
【請求項１２】
請求項３又は６に記載の組成物であって、
以下の群：
（ｉ）アラントイン、水酸化アルミニウムゲル、カラミン、ココア脂、肝油、コロイド状オートミール、ジメチコン、グリセリン、硬質脂肪、カオリン、ラノリン、鉱油、ペトロラタム、重炭酸ナトリウム、トピカルスターチ、白色ワセリン、酢酸亜鉛、および／または酸化亜鉛から選択される、皮膚保護有効成分、ならびに、
（ｉｉ）ベンゾカイン、ピクリン酸ブタマベン、ジブカイン、塩酸ジブカイン、塩酸ジメチオソキン、塩酸ジクロニン、リドカイン、塩酸リドカイン、塩酸プラモキシン、テトラカイン、塩酸テトラカイン、ベンジルアルコール、樟脳、樟脳メタクレゾール、杜松タール、メントール、フェノール、フェノラートナトリウムレゾルシノール、塩酸トリペレナミン、アスピリン、ヒドロコルチゾン、酢酸ヒドロコルチゾン、および／または塩酸ジフェンヒドラミンから選択される、外用鎮痛成分、麻酔成分、または鎮痒成分、
のうちの１つから選択される少なくとも１つの薬剤をさらに含む、組成物。
【請求項１３】
請求項３又は６に記載の組成物であって、
抗菌薬、他の抗ウイルス薬、抗真菌薬、抗酸化剤、緩衝剤、日焼け止め剤、化粧剤、香料、滑沢剤、湿潤剤、乾燥剤、および増粘剤からなる群から選択される少なくとも１つの他の薬剤をさらに含む、組成物。
【請求項１４】
請求項１又は４に記載の使用であって、
前記症状は、発熱、筋肉痛、腺の腫れ、倦怠、そう痒、炎症、刺激状態、疼痛、腫脹、および灼熱感からなる群から選択される、使用。
【請求項１５】
請求項２又は５に記載の化合物であって、
前記症状は、発熱、筋肉痛、腺の腫れ、倦怠、そう痒、炎症、刺激状態、疼痛、腫脹、および灼熱感からなる群から選択される、化合物。
【請求項１６】
請求項５に記載の化合物であって、
２’，４’−ジヒドロキシ−３，４−ジメトキシカルコン、２’，４’−ジヒドロキシ−４−メトキシカルコン、２’，３，４，４’−テトラヒドロキシカルコン、２’，４’，４−トリヒドロキシカルコン、２’，４，４’−トリヒドロキシ−３−メトキシカルコン、および２’，３，４’−トリヒドロキシ−４−メトキシカルコンから選択され、単一立体異性体、立体異性体の混合物、およびその医薬上許容される塩を含む、化合物。
【請求項１７】
請求項５に記載の化合物であって、
２’，４’−ジヒドロキシ−３，４−ジメトキシカルコンであり、単一立体異性体、立体異性体の混合物、およびその医薬上許容される塩を含む、化合物。
【請求項１８】
請求項５に記載の化合物であって、
２’，３，４，４’−テトラヒドロキシカルコンであり、単一立体異性体、立体異性体の混合物、およびその医薬上許容される塩を含む、化合物。
【請求項１９】
請求項５に記載の化合物であって、
２’，４’−ジヒドロキシ−４−メトキシカルコンであり、単一立体異性体、立体異性体の混合物、およびその医薬上許容される塩を含む、化合物。
【請求項２０】
請求項４に記載の使用であって、
前記ウイルス感染は、単純ヘルペスウイルス−１に起因する、使用。
【請求項２１】
請求項５に記載の化合物であって、
前記ウイルス感染は、単純ヘルペスウイルス−１に起因する、化合物。